(57)【要約】【課題】ファール球戻り口から落下するファール球を適切に処理して遊技客の煩わしさを解消すると共に、打球の発射動作に支障を及ぼすことのないようにする。【解決手段】打球誘導レール７の始端と発射レール８の終端との間にファール球となった打球を落下させるファール球戻し口２０が形成されたパチンコ機において、前記ファール球戻し口２０から落下するファール球を打球供給皿１０へ導くファール球通路２７と、該ファール球通路２７の側縁部に沿ってファール球が落下する開口部２９が形成され、該開口部２９から落下するファール球が通路部材２２を介して下部球受皿１１へ導かれるように構成されていることを特徴とする。【選択図】図５
2007196072.tif 000002
【特許請求の範囲】
【請求項１】
前面枠の前面に打球供給皿と下部球受皿が設けられ、該前面枠の裏面には取付枠を介して遊技盤が着脱自在に装着され、該遊技盤の前面に発射レールから発射された打球を遊技盤の遊技領域に導く打球誘導レールが設けられ、該打球誘導レールの始端と発射レールの終端との間にファール球となった打球を落下させるファール球戻し口が形成され、
前記遊技盤の裏面側には賞球排出通路が設けられ、該賞球排出通路から払い出される賞球は賞球シュートを介して打球供給皿に導くようなっているパチンコ機において、
前記ファール球戻し口から落下するファール球を前記賞球シュートを介して前記打球供給皿へ導くファール球通路と、該ファール球通路の側縁部に沿ってファール球が落下する開口部を形成し、
前記ファール球通路の終端を前記賞球シュートの側面開口に連通すると共に、前記開口部が形成された反対側の側縁部にはガイド壁を形成してファール球が該ガイド壁に沿って賞球シュートへ流入するようにし、
他方、前記開口部を通路部材と連通し該開口部から落下するファール球は該通路部材を介して前記下部球受皿へ導かれるように構成されていることを特徴とするパチンコ機におけるファール球処理装置。
【請求項２】
前面枠の前面に打球供給皿と下部球受皿が設けられ、該前面枠の裏面には取付枠を介して遊技盤が着脱自在に装着され、該遊技盤の前面に発射レールから発射された打球を遊技盤の遊技領域に導く打球誘導レールが設けられ、該打球誘導レールの始端と発射レールの終端との間にファール球となった打球を落下させるファール球戻し口が形成され、
前記遊技盤の裏面側には賞球排出通路が設けられ、該賞球排出通路から払い出される賞球は賞球シュートを介して打球供給皿に導くようなっているパチンコ機において、
前記ファール球戻し口から落下するファール球を前記賞球シュートを介して前記打球供給皿へ導くファール球通路と、該ファール球通路の側縁部に沿ってファール球が落下する開口部を形成し、
前記ファール球通路の終端を前記賞球シュートの側面開口に連通すると共に、前記開口部が形成された反対側の側縁部にはガイド壁を形成してファール球が該ガイド壁に沿って賞球シュートへ流入するようにし、さらに該賞球シュート内部には前記ガイド壁から延長する球圧受板を設けたことを特徴とするパチンコ機におけるファール球処理装置。
【発明の詳細な説明】
【技術分野】
【０００１】
本発明は、発射レールから発射された打球が遊技盤の遊技領域に到達しなかった場合に、打球誘導レールを戻ってくるファール球を適切に回収処理するためのパチンコ機におけるファール球処理装置に関するものである。
【背景技術】
【０００２】
従来のパチンコ機においては、打球誘導レールの始端と発射レールの終端との間に形成されたファール球戻し口と下部球受皿とを連通するようにファール球流路が形成され、ファール球戻し口から落下するファール球がファール球流路を介して下部球受皿に戻されるようになっていた。このため、下部球受皿に戻されたファール球を手で拾い上げて打球供給皿に戻す必要があって遊技客に煩わしさを与えていた。
【０００３】
一方、上述のような問題点を解決するために、ファール球戻し口に関連して山形状のオーバーフロー用ガイドを設け、該オーバーフロー用ガイドによってファール球戻し口から落下するファール球を打球供給皿に戻すようにすると共に、打球供給皿が賞球で満杯のとき、そのファール球を下部球受皿へオーバーフローさせるようにして遊技客を煩わせることのないようにしたパチンコ機が知られている。
【特許文献１】特開平７−８０１３０号公報
【発明の開示】
【発明が解決しようとする課題】
【０００４】
しかし、上記したパチンコ機にあっては、打球供給皿が賞球で満杯のとき、打球供給皿に入りきらないファール球が山形状のオーバーフロー用ガイドの頂部部分まで滞留することになるため、ファール球戻し口付近で球詰りを起こし易く、その結果ファール球がファール球戻し口に落下することができなくなって発射レールの発射位置に戻るような事態となり打球の発射動作に支障を及ぼすという問題点があった。
【０００５】
本発明は、上記した問題点に鑑みてなされたもので、ファール球戻し口から落下するファール球を打球供給皿の賞球の貯留状態に応じて打球供給皿又は下部球受皿のいずれかに円滑かつ適切に導くようにして遊技客に煩わしさを与えないようにすると共に、打球の発射動作に支障を及ぼすことのないようなパチンコ機におけるファール球処理装置を提供することにある。
【課題を解決するための手段】
【０００６】
上記目的を達成するために、本発明のパチンコ機におけるファール球処理装置は、前面枠の前面に打球供給皿と下部球受皿が設けられ、該前面枠の裏面には取付枠を介して遊技盤が着脱自在に装着され、該遊技盤の前面に発射レールから発射された打球を遊技盤の遊技領域に導く打球誘導レールが設けられ、該打球誘導レールの始端と発射レールの終端との間にファール球となった打球を落下させるファール球戻し口が形成され、前記遊技盤の裏面側には賞球排出通路が設けられ、該賞球排出通路から払い出される賞球は賞球シュートを介して打球供給皿に導くようなっているパチンコ機において、前記ファール球戻し口から落下するファール球を前記賞球シュートを介して前記打球供給皿へ導くファール球通路と、該ファール球通路の側縁部に沿ってファール球が落下する開口部を形成し、前記ファール球通路の終端を前記賞球シュートの側面開口に連通すると共に、前記開口部が形成された反対側の側縁部にはガイド壁を形成してファール球が該ガイド壁に沿って賞球シュートへ流入するようにし、他方、前記開口部を通路部材と連通し該開口部から落下するファール球は該通路部材を介して前記下部球受皿へ導かれるように構成されていることを特徴としている。
【０００７】
上記目的を達成するために、本発明のパチンコ機におけるファール球処理装置は、前面枠の前面に打球供給皿と下部球受皿が設けられ、該前面枠の裏面には取付枠を介して遊技盤が着脱自在に装着され、該遊技盤の前面に発射レールから発射された打球を遊技盤の遊技領域に導く打球誘導レールが設けられ、該打球誘導レールの始端と発射レールの終端との間にファール球となった打球を落下させるファール球戻し口が形成され、前記遊技盤の裏面側には賞球排出通路が設けられ、該賞球排出通路から払い出される賞球は賞球シュートを介して打球供給皿に導くようなっているパチンコ機において、前記ファール球戻し口から落下するファール球を前記賞球シュートを介して前記打球供給皿へ導くファール球通路と、該ファール球通路の側縁部に沿ってファール球が落下する開口部を形成し、前記ファール球通路の終端を前記賞球シュートの側面開口に連通すると共に、前記開口部が形成された反対側の側縁部にはガイド壁を形成してファール球が該ガイド壁に沿って賞球シュートへ流入するようにし、さらに該賞球シュート内部には前記ガイド壁から延長する球圧受板を設けたことを特徴としている。
【０００８】
前記ファール球通路の終端は、遊技盤の下部を受ける支持板部に形成された賞球導出口と打球供給皿とに連通するように設けられた賞球シュートの側面に臨ませるようにするのが好ましい。
【０００９】
また、前記開口部は、打球供給皿が賞球で満杯のとき、ファール球をファール球通路に滞留させることのないようにファール球通路の終端の側部に沿って設けるのが好ましい。
【００１０】
さらに、前記ファール球通路の終端部分は、ファール球を開口部から確実に落下させるために開口部に向かう緩るやかな傾斜面として形成するのが好ましい。
【発明の効果】
【００１１】
本発明に係るパチンコ機におけるファール球処理装置によれば、打球供給皿の賞球が満杯でないときファール球戻口から落下するファール球を打球供給皿に戻すことができるので、遊技客を煩わせるようなことを解消することができる。
【００１２】
そして、打球供給皿が賞球で満杯のときファール球戻口に落下するファール球をファール球通路の側縁部に沿って形成した開口部に落下させて下部球受皿へ導くようにしたものであるから、ファール球がファール球戻口まで滞留して打球の発射動作に支障を及ぼすような事態を確実に回避することができる。
【発明を実施するための最良の形態】
【００１３】
次に本発明の一実施の形態を図面を参照して説明する。図１は本発明が適用されるパチンコ機の正面図、図２はガラス枠及び前面板を開放した状態のパチンコ機の下部部分の斜視図である。図において、１はパチンコ機の外枠、２は外枠１の前面に開閉自在に装着された前面枠である。前面枠２は、ほぼ中央に窓孔が設けられた額縁状に形成されており、その窓孔部分にガラス枠３と前面板４とが一側を軸として開閉自在に装着されている。また、ガラス枠３の後方であり、かつ前面枠２の窓孔の裏面部分には遊技盤取付枠５を介して遊技盤６が着脱自在に取付けられている。
【００１４】
前記遊技盤６の前面には打球誘導レール７が円状に設けられ、遊技盤６の下部を支持する遊技盤取付枠５の支持板部５ａ前面には発射レール８が設けられている。９は発射レール８の発射位置に先端が臨む打球杆、１０は前面板４の前面に装着された打球供給皿である。また、前面枠２の下部前面には打球供給皿１０からオーバーフローする余剰球を貯留する下部球受皿１１と打球発射用の操作ハンドル１２が設けられている。
【００１５】
前記前面板４の裏面には、打球供給皿１０に貯留される賞球を打球杆９の発射動作に同期させて１個ずつ発射レール８の発射位置に供給する打球供給装置１３が設けられている。また、前面板４には、遊技盤６の下部の支持板部５ａに形成された賞球導出口１４に連通する賞球シュート１５と、打球供給皿１０の球抜き用の出口孔１６が設けられている。
【００１６】
図３に示すように、前記賞球導出口１４は遊技盤６の裏面に装着された機構板１７の賞球排出通路１８と連通しており、機構板１７に設けられた賞球払出装置（図示せず）から払い出される賞球を賞球シュート１５を介して打球供給皿１０に導くようになっている。また、打球供給皿１０，賞球シュート１５及び賞球排出通路１８に賞球が満たされるとその後に払い出される賞球は賞球排出通路１８の側方から分岐する余剰球通路１９を流下して下部球受皿１１に貯留される。
【００１７】
図４に示すように、前記打球誘導レール７の始端と発射レール８の終端との間にファール球戻し口２０が形成されている。また、前記支持板部５ａの前面には余剰球通路１９を介して下部球受皿１１に連通する球通路２１が形成された箱枠状の通路部材２２が固着されている。この通路部材２２は図２に示すように打球供給皿１０から機構板１７の賞球排出通路１８まで賞球が貯留された状態で前面板４を開いたときに賞球導出口１４よりこぼれる賞球を受け入れる開口２３と、球抜き操作によって前面板４の出口孔１６から流出する打球供給皿１０の賞球を受け入れる開口２４が形成されており、賞球導出口１４からこぼれる賞球と出口孔１６から球抜きされた賞球は通路部材２２の球通路２１を流下して余剰球通路１９に合流しながら下部球受皿１１に導かれて貯留される。なお、２５は前面板４の裏面に固着されたスピーカー、２６は通路部材２２に開設されたスピーカー収納部である。
【００１８】
しかして、本発明では、図４ないし図６に示すように前記ファール球戻し口２０の下方に位置する通路部材２２にファール球通路２７が形成されている。このファール球通路２７の終端は賞球シュート１５の側面開口２８と連通しており、ファール球戻口２０から落下するファール球は賞球シュート１５を介して打球供給皿１０に導かれるようになっている。また、ファール球通路２７の終端の側縁部に沿ってファール球が落下する開口部２９が形成され、この開口部２９は通路部材２２の球通路２１と連通している。
【００１９】
前記ファール球通路２７の終端の開口部２９が形成された反対側の側縁部にはガイド壁３０が形成されており、ファール球通路２７を流下するファール球はガイド壁３０に沿って賞球シュート１５の側部開口２８に流入するようになっている。なお、３１は賞球シュート１５の内部に設けられた球圧受板である。
【００２０】
上記のように構成されるパチンコ機のファール球処理装置は、図７に示すように打球供給皿１０の賞球が満杯でない状態のとき、ファール球戻し口２０から落下するファール球Ｂはファール球通路２７を流下し、そのファール球Ｂの流下速度によってガイド壁３０に沿いつつ賞球シュート１５の側部開口２８を通過して打球供給皿１０へ直接に導かれる。このため、ファール球を下部球受皿１１から打球供給皿１０に戻すような煩わしさを解消することができる。
【００２１】
一方、図８に示すように打球供給皿１０から機構板１７の賞球排出通路１８まで賞球が貯留された状態のとき、ファール球戻し口２０にファール球Ｂ１が落下すると、そのファール球Ｂ１はファール球通路２７を流下し賞球シュート１５の側部開口２８に滞留する賞球に突き当って開口部２９から通路部材２２の球通路２１に落下する。そして、球通路２１から余剰球通路１９を通って下部球受皿１１へ導かれる。なお、この際にファール球通路２７の終端部分を開口部２９に向かう緩るやかな傾斜面、具体的には賞球シュート１５に向けて流下するファール球の速度に影響を及ぼさない程度の傾斜を設けるようにすればファール球Ｂ１をより一層確実に開口部２９に落下させることができる。このため、従来のようにファール球がファール球戻し口２０付近で滞留したり球詰りを起こして打球の発射動作に支障を及ぼすような事態を回避することができる。
【図面の簡単な説明】
【００２２】
【図１】本発明が適用されるパチンコ機の正面図である。
【図２】図１のパチンコ機の下部部分の斜視図である。
【図３】図１のパチンコ機の要部側面断面図である。
【図４】図１のパチンコ機の要部正面断面図である。
【図５】ファール球通路部分の斜視図である。
【図６】作用を説明する要部側面断面図である。
【図７】打球供給皿の賞球が満杯でないときの作用説明図である。
【図８】打球供給皿の賞球が満杯のときの作用説明図である。
【符号の説明】
【００２３】
２        前面枠
６        遊技盤
７        打球誘導レール
８        発射レール
１０      打球供給皿
１１      下部球受皿
２０      ファール球戻し口
２２      通路部材
２７      ファール球通路
２９      開口部
【図１】
2007196072.tif 000003
【図２】
2007196072.tif 000004
【図３】
2007196072.tif 000005
【図４】
2007196072.tif 000006
【図５】
2007196072.tif 000007
【図６】
2007196072.tif 000008
【図７】
2007196072.tif 000009
【図８】
2007196072.tif 000010